(57)【要約】【課題】電池容量が小さいバッテリが一部にあっても、ＳＯＣが減りにくく、電力を無駄に捨てることがないバッテリ装置の放電システムを提供する。【解決手段】バッテリＢ1〜Ｂ3を直列に接続したバッテリ装置１０の放電を制御するバッテリ装置の放電システムであって、バッテリＢ1〜Ｂ3同士を直列に接続するスイッチＳａ1〜Ｓａ3と、バッテリＢ1〜Ｂ3をバイパスするバイパス線ＢＬに接続するスイッチＳｂ1〜Ｓｂ3と、バッテリＢ1〜Ｂ3の状態を検出し、検出した状態に応じて、スイッチＳａ1〜Ｓａ3、Ｓｂ1〜Ｓｂ3を制御するＥＣＵ２０とを備え、ＥＣＵ２０は、検出したバッテリＢ1〜Ｂ3の状態に基づき、放電を避けるバッテリを選定し、当該バッテリに対するスイッチＳａ1〜Ｓａ3をオフとし、スイッチＳｂ1〜Ｓｂ3をオンとして、当該バッテリをバイパスして、他のバッテリから放電する。【選択図】図１
2013031247.tif 000002
【特許請求の範囲】
【請求項１】
複数のバッテリを直列に接続したバッテリ装置において、当該バッテリ装置の放電を制御するバッテリ装置の放電システムであって、
各バッテリ同士を直列に接続する第１のスイッチと、
各バッテリをバイパスするバイパス線に接続する第２のスイッチと、
各バッテリの状態を検出し、検出した状態に応じて、前記第１のスイッチ及び前記第２のスイッチを制御する制御手段とを備え、
前記制御手段は、検出した各バッテリの状態に基づき、放電を避けるバッテリを選定し、当該バッテリに対する前記第１のスイッチをオフとし、当該バッテリに対する前記第２のスイッチをオンとすることにより、当該バッテリをバイパスして、他のバッテリから放電することを特徴とするバッテリ装置の放電システム。
【請求項２】
請求項１に記載のバッテリ装置の放電システムにおいて、
各バッテリのいずれか一方の極側に前記第１のスイッチを設けると共に、
１つの前記バッテリと１つの前記第１のスイッチを間に挟むように、前記第２のスイッチを各々配置して、前記バイパス線と接続したことを特徴とするバッテリ装置の放電システム。
【請求項３】
請求項１又は請求項２に記載のバッテリ装置の放電システムにおいて、
前記制御手段は、
各バッテリの温度及び電圧を検出すると共に、使用時における各バッテリの電圧の変化を検出し、検出した各バッテリの電圧に基づき、各バッテリの充電率を算出すると共に、使用時における各バッテリの電圧の変化に基づき、各バッテリの電池容量を算出し、前記温度、前記充電率及び前記電池容量の条件下において、要求される放電電流値を放電できないバッテリを、放電を避けるバッテリとして選定することを特徴とするバッテリ装置の放電システム。
【発明の詳細な説明】
【技術分野】
【０００１】
本発明は、バッテリ装置の放電システムに関する。
【背景技術】
【０００２】
モータのみで走行する電気自動車（ＥＶ）やモータ及びエンジンで走行するハイブリッド車（ＨＥＶ、ＰＨＥＶ）等の電動車両に搭載されるバッテリ装置は、蓄電池（二次電池；以降、バッテリと呼ぶ。）を複数直列に接続しており、このような構成により、バッテリ装置に蓄えた電力から所望の電圧を得るようにしている。
【先行技術文献】
【特許文献】
【０００３】
【特許文献１】特開２００９−０５５６９０号公報
【特許文献２】特開２００９−０５５６８７号公報
【発明の概要】
【発明が解決しようとする課題】
【０００４】
バッテリ装置のバッテリは、経年変化（充放電サイクルの繰り返し等）により劣化していき、その電池容量が減少していくが、各々のバッテリの温度等の違いにより、電池容量減少の度合いは異なり、一様ではない。そして、劣化の大きい、つまり、電池容量が小さくなったバッテリは、放電時に電圧が下がりやすい性質がある。そのため、バッテリ装置内に他より劣化の大きいバッテリが一部でもあると、ＳＯＣ（State of Charge；充電率）を判定する電圧の残量が減りやすくなり、車両の航続距離（外部からの電気や燃料の補給無しに走行する距離）が短くなってしまう。
【０００５】
又、バッテリ装置においては、各バッテリ間で電圧差が生じないようにすることが望ましい。しかしながら、劣化により、バッテリ装置内の各々のバッテリの電池容量が異なる状態となった場合には、満充電時にバッテリ同士の電圧のバランスが取れなくなってしまう。電圧のバランスを取ろうとすると、電力を使う必要がなくても、電圧が高いバッテリからの放電が必要となり、電力を無駄に捨てることになる。これは、電池容量の異なる新品の（劣化していない）バッテリを複数使用するバッテリ装置でも起こることである。
【０００６】
本発明は上記課題に鑑みなされたもので、電池容量が小さいバッテリが一部にあっても、ＳＯＣが減りにくく、電力を無駄に捨てることがないバッテリ装置の放電システムを提供することを目的とする。
【課題を解決するための手段】
【０００７】
上記課題を解決する第１の発明に係るバッテリ装置の放電システムは、
複数のバッテリを直列に接続したバッテリ装置において、当該バッテリ装置の放電を制御するバッテリ装置の放電システムであって、
各バッテリ同士を直列に接続する第１のスイッチと、
各バッテリをバイパスするバイパス線に接続する第２のスイッチと、
各バッテリの状態を検出し、検出した状態に応じて、前記第１のスイッチ及び前記第２のスイッチを制御する制御手段とを備え、
前記制御手段は、検出した各バッテリの状態に基づき、放電を避けるバッテリを選定し、当該バッテリに対する前記第１のスイッチをオフとし、当該バッテリに対する前記第２のスイッチをオンとすることにより、当該バッテリをバイパスして、他のバッテリから放電することを特徴とする。
【０００８】
上記課題を解決する第２の発明に係るバッテリ装置の放電システムは、
上記第１の発明に記載のバッテリ装置の放電システムにおいて、
各バッテリのいずれか一方の極側に前記第１のスイッチを設けると共に、
１つの前記バッテリと１つの前記第１のスイッチを間に挟むように、前記第２のスイッチを各々配置して、前記バイパス線と接続したことを特徴とする。
【０００９】
上記課題を解決する第３の発明に係るバッテリ装置の放電システムは、
上記第１又は第２の発明に記載のバッテリ装置の放電システムにおいて、
前記制御手段は、
各バッテリの温度及び電圧を検出すると共に、使用時における各バッテリの電圧の変化を検出し、検出した各バッテリの電圧に基づき、各バッテリの充電率を算出すると共に、使用時における各バッテリの電圧の変化に基づき、各バッテリの電池容量を算出し、前記温度、前記充電率及び前記電池容量の条件下において、要求される放電電流値を放電できないバッテリを、放電を避けるバッテリとして選定することを特徴とする。
【発明の効果】
【００１０】
本発明によれば、当初から電池容量が小さい、又は、劣化により電池容量が小さくなったバッテリが一部にあっても、放電を避けるバッテリとして選定し、当該バッテリをバイパスして、他のバッテリから放電を行うので、充電率が減りにくくなり、又、電力を無駄に捨てることが無くなる。
【図面の簡単な説明】
【００１１】
【図１】本発明に係るバッテリ装置の放電システムを示す概略構成図である。
【図２】図１に示したバッテリ装置の放電システムにおける制御を説明するフローチャートである。
【図３】（ａ）、（ｂ）は、図２に示した制御で用いるマップである。
【図４】図２に示した制御によるスイッチング（全直列）を示す図である。
【図５】図２に示した制御によるスイッチング（Ｂ1バイパス）を示す図である。
【図６】図２に示した制御によるスイッチング（Ｂ2バイパス）を示す図である。
【図７】図２に示した制御によるスイッチング（Ｂ3バイパス）を示す図である。
【図８】図２に示した制御による効果を説明する図である。
【図９】図１に示したバッテリ装置の放電システムの変形例を示す概略構成図である。
【発明を実施するための形態】
【００１２】
以下、図１〜図９を参照して、本発明に係るバッテリ装置の放電システムの実施形態を説明する。なお、本発明に係るバッテリ装置の放電システムは、電気自動車に限らず、ハイブリッド車等の電動車両にも適用可能である。
【００１３】
（実施例１）
図１は、本実施例のバッテリ装置の放電システムを示す概略構成図であり、図２は、図１に示したバッテリ装置の放電システムにおける制御を説明するフローチャートであり、図３（ａ）、（ｂ）は、図２に示した制御で用いるマップであり、図４〜図７は、図２に示した制御によるスイッチング例のいくつかを示す図であり、図８は、図２に示した制御による効果を説明する図である。又、図９は、図１に示したバッテリ装置の放電システムの変形例を示す概略構成図である。
【００１４】
本実施例のバッテリ装置の放電システムは、複数のバッテリＢ1、Ｂ2、Ｂ3を有するバッテリ装置１０と、各バッテリＢ1、Ｂ2、Ｂ3の監視を行うと共に、後述するスイッチの制御を行うＥＣＵ（Electronics Control Unit）２０とを有している。バッテリ装置１０には、放電対象（電力供給対象）となる負荷ＬＤが接続されており、ＥＣＵ２０は、放電電流値に応じて、後述するスイッチの制御を行い、負荷ＬＤへ電力を供給する。負荷ＬＤは、電気自動車の場合には駆動用モータ等が該当する。なお、ここでは、説明を簡単にするため、バッテリを３つ図示しているが、実際のバッテリ装置は、多数のバッテリを有している。
【００１５】
バッテリ装置１０においては、各バッテリＢ1、Ｂ2、Ｂ3を直列に接続するため、スイッチＳａ1、Ｓａ2、Ｓａ3（第１のスイッチ）を設けており、更に、各バッテリＢ1、Ｂ2、Ｂ3をバイパスするバイパス線ＢＬに接続するため、スイッチＳｂ1、Ｓｂ2、Ｓｂ3、Ｓｂ4（第２のスイッチ）を設けている。
【００１６】
具体的には、図１に示すように、負荷ＬＤとバッテリＢ1との間に、バイパス線ＢＬに接続するスイッチＳｂ1を設け、バッテリＢ1−Ｂ2間を直列に接続するスイッチＳａ1とバッテリＢ2との間に、バイパス線ＢＬに接続するスイッチＳｂ2を設け、バッテリＢ2−Ｂ3間を直列に接続するスイッチＳａ2とバッテリＢ3との間に、バイパス線ＢＬに接続するスイッチＳｂ3を設け、バッテリＢ3−負荷ＬＤ間を直列に接続するスイッチＳａ3と負荷ＬＤとの間に、バイパス線ＢＬに接続するスイッチＳｂ4を設けている。つまり、１つのバッテリと１つの第１のスイッチを間に挟むように、第２のスイッチを各々配置している。
【００１７】
なお、スイッチＳａ1、Ｓａ2、Ｓａ3及びスイッチＳｂ1、Ｓｂ2、Ｓｂ3、Ｓｂ4の接続構成については、図９に示す変形例のような構成でもよい。具体的には、図９においては、負荷ＬＤと負荷ＬＤ−バッテリＢ1間を直列に接続するスイッチＳａ1との間に、バイパス線ＢＬに接続するスイッチＳｂ1を設け、バッテリＢ1とバッテリＢ1−Ｂ2間を直列に接続するスイッチＳａ2との間に、バイパス線ＢＬに接続するスイッチＳｂ2を設け、バッテリＢ2とバッテリＢ2−Ｂ3間を直列に接続するスイッチＳａ3との間に、バイパス線ＢＬに接続するスイッチＳｂ3を設け、バッテリＢ3と負荷ＬＤとの間に、バイパス線ＢＬに接続するスイッチＳｂ4を設けている。ここでも、１つのバッテリと１つの第１のスイッチを間に挟むように、第２のスイッチを各々配置している。
【００１８】
そして、ＥＣＵ２０は、各バッテリＢ1、Ｂ2、Ｂ3の温度及び電圧を測定しており、測定した温度及び電圧、そして、負荷ＬＤから要求された放電電流値に応じて、図１、図９に示す構成のスイッチＳａ1、Ｓａ2、Ｓａ3及びスイッチＳｂ1、Ｓｂ2、Ｓｂ3、Ｓｂ4のスイッチングを行うことにより、全てのバッテリを直列に接続したり（後述の図４参照）、全てのバッテリの中から任意の１つ又は複数のバッテリをバイパスし、残りのバッテリを直列に接続したり（後述の図５〜図７）することができる。
【００１９】
次に、図２のフローチャート、図３（ａ）、（ｂ）のマップ、図４〜図７のスイッチング例を参照して、本実施例のバッテリ装置の放電システムにおける制御を説明する。なお、図３（ａ）は、ある電池容量のバッテリにおいて、温度及びＳＯＣの変化に対する許容放電電流値を示すマップであり、図３（ｂ）は、図３（ａ）に示された各ＳＯＣの間の値を補間するためのマップである。
【００２０】
負荷ＬＤからＥＣＵ２０へ放電要求、例えば、放電電流値２０Ａの放電要求が入力される（ステップＳ１）。この放電要求は、放電を行っていないとき（例えば、充電や回生のとき）の放電要求に限らず、放電を行っているときの放電要求、つまり、放電電流値の変更の要求であってもよい。
【００２１】
各バッテリＢ1、Ｂ2、Ｂ3の温度及び電圧を測定する（ステップＳ２〜Ｓ３）。
【００２２】
各バッテリＢ1、Ｂ2、Ｂ3の電池容量を算出する（ステップＳ４）。各バッテリＢ1、Ｂ2、Ｂ3の電池容量の算出は、例えば、直前又は直近の使用前後における各バッテリＢ1、Ｂ2、Ｂ3の電圧の変化から電池容量を算出する。より具体的には、直前又は直近の走行時において、走行に使用する前の各バッテリＢ1、Ｂ2、Ｂ3の電圧と走行に使用した後の各バッテリＢ1、Ｂ2、Ｂ3の電圧との変化から電池容量を算出する。一般的に、一定の電流を一定時間供給したときに電圧変化が大きいほど電池容量が小さいと算出することができる。なお、バッテリの電池容量の算出は、他の公知の方法を用いてもよい。
【００２３】
取得した各バッテリＢ1、Ｂ2、Ｂ3の電圧から各バッテリＢ1、Ｂ2、Ｂ3のＳＯＣを算出する（ステップＳ５）。
【００２４】
要求された放電電流値、取得した各バッテリＢ1、Ｂ2、Ｂ3の温度及び算出した各バッテリＢ1、Ｂ2、Ｂ3の電池容量、ＳＯＣを用い、算出した電池容量に対応するマップ、即ち、図３（ａ）、（ｂ）に示すマップを選択し、当該マップに基づいて、スイッチングが必要なバッテリ、つまり、バイパスするバッテリを判定する（ステップＳ６）。図３（ａ）、（ｂ）に示すマップは、ある電池容量におけるマップであり、ＥＣＵ２０は、図３（ａ）、（ｂ）に示すようなマップを、電池容量毎（例えば、電池容量の劣化率５％毎）に持っている。
【００２５】
図３（ａ）、（ｂ）に示す、ある電池容量におけるマップにおいて、例えば、要求された放電電流値が１０Ａであり、バッテリＢ1、Ｂ2、Ｂ3の温度が共に２５℃であり、バッテリＢ1、Ｂ2、Ｂ3のＳＯＣが各々４０％、３０％、５０％である場合には、いずれのバッテリＢ1、Ｂ2、Ｂ3も１０Ａ以上の放電電流値の放電が可能であるため、バイパスする必要があるバッテリはなく、後述するように、ステップＳ８において、図４に示す接続状態のスイッチングが行われる。
【００２６】
又、要求された放電電流値が２０Ａであり、バッテリＢ1、Ｂ2、Ｂ3の温度が共に２５℃であり、バッテリＢ1、Ｂ2、Ｂ3のＳＯＣが各々４０％、３０％、５０％である場合には、バッテリＢ2のみ２０Ａ以上の放電電流値の放電が不可能となるため、バッテリＢ2のみバイパスする必要があり、後述するように、ステップＳ８において、図６に示す接続状態のスイッチングが行われる。
【００２７】
現在のスイッチングの接続状態とステップＳ６で選定されたバッテリをバイパスするためのスイッチングの接続状態とを比較し、スイッチングを行う必要があるか判定する。スイッチングを行う必要があれば、つまり、両接続状態が異なっていれば、ステップＳ８へ進む。一方、スイッチングを行う必要がなければ、つまり、両接続状態が同じであれば、ステップＳ９へ進む（ステップＳ７）。
【００２８】
ステップＳ６で選定されたバッテリをバイパスするためのスイッチングを行う（ステップＳ８）。
【００２９】
ステップＳ８でスイッチングを行った後、放電を行う（ステップＳ９）。事前に放電を行っている場合には、ステップＳ８でのスイッチングにより、一時的に放電が停止するが、その後、引き続き放電を行うことになる。
【００３０】
放電を継続するかどうか、つまり、負荷ＬＤからＥＣＵ２０への放電要求が継続しているかどうか確認し、放電を継続する場合にはステップＳ２へ戻り、放電を継続しない場合には、一連の制御を終了する（ステップＳ１０）。
【００３１】
ここで、ステップＳ８でのスイッチングのいくつかの例を、図４〜図７を参照して、説明する。
【００３２】
図４は、要求された放電電流値に対して、バイパスする必要があるバッテリはないと判定された場合であり、スイッチＳａ1、Ｓａ2、Ｓａ3を全てオン状態とし、スイッチＳｂ1、Ｓｂ2、Ｓｂ3、Ｓｂ4を全てオフ状態とすることにより、全てのバッテリＢ1、Ｂ2、Ｂ3が直列に接続されて、Ｃ１で示す供給経路により、負荷ＬＤへ電力が供給されることになる。
【００３３】
又、図５は、要求された放電電流値に対して、バッテリＢ1のみバイパスする必要があると判定された場合であり、バッテリＢ1のみをバイパスするために、スイッチＳａ1をオフ状態とする一方、スイッチＳｂ1、Ｓｂ2をオン状態としている。バッテリＢ2、Ｂ3は直列接続状態を維持するので、スイッチＳａ2、Ｓａ3をオン状態とし、スイッチＳｂ3、Ｓｂ4をオフ状態としている。このような接続状態により、バッテリＢ1がバイパスされ、バッテリＢ2、Ｂ3が直列に接続されて、Ｃ２で示す供給経路により、負荷ＬＤへ電力が供給されることになる。
【００３４】
又、図６は、要求された放電電流値に対して、バッテリＢ2のみバイパスする必要があると判定された場合であり、バッテリＢ2のみをバイパスするために、スイッチＳａ2をオフ状態とする一方、スイッチＳｂ2、Ｓｂ3をオン状態としている。バッテリＢ1、Ｂ3は直列接続状態を維持するので、スイッチＳａ1、Ｓａ3をオン状態とし、スイッチＳｂ1、Ｓｂ4をオフ状態としている。このような接続状態により、バッテリＢ2がバイパスされ、バッテリＢ1、Ｂ3が直列に接続されて、Ｃ３で示す供給経路により、負荷ＬＤへ電力が供給されることになる。
【００３５】
又、図７は、要求された放電電流値に対して、バッテリＢ3のみバイパスする必要があると判定された場合であり、バッテリＢ3のみをバイパスするために、スイッチＳａ3をオフ状態とする一方、スイッチＳｂ3、Ｓｂ4をオン状態としている。バッテリＢ1、Ｂ2は直列接続状態を維持するので、スイッチＳａ1、Ｓａ2をオン状態とし、スイッチＳｂ1、Ｓｂ2をオフ状態としている。このような接続状態により、バッテリＢ3がバイパスされ、バッテリＢ1、Ｂ2が直列に接続されて、Ｃ４で示す供給経路により、負荷ＬＤへ電力が供給されることになる。
【００３６】
図５〜図７に示したように、バッテリの周囲に配置したスイッチにおいて、当該バッテリを直列に接続するための第１のスイッチをオフ状態とし、第１のスイッチと共に当該バッテリを間に挟むように配置してバイパス線ＢＬと接続した２つの第２のスイッチをオン状態とすることにより、所望のバッテリを直列接続からバイパスすることができる。
【００３７】
図５〜図７では、１つのバッテリのみをバイパスしたが、複数のバッテリをバイパスしたい場合、図５〜図７に示したスイッチングを、複数のバッテリに対して行うことで、複数のバッテリをバイパスすることができる。例えば、バッテリＢ1とバッテリＢ3をバイパスしたい場合、図５、図７を参照して説明すると、バッテリＢ1を直列に接続するためのスイッチＳａ1をオフ状態とし、バッテリＢ1を間に挟むように配置してバイパス線ＢＬと接続した２つのスイッチＳｂ1、Ｓｂ2をオン状態とし、バッテリＢ2を直列に接続するためのスイッチＳａ2はオン状態とし、更に、バッテリＢ3を直列に接続するためのスイッチＳａ3をオフ状態とし、バッテリＢ3を間に挟むように配置してバイパス線ＢＬと接続した２つのスイッチＳｂ3、Ｓｂ4をオン状態とすることで、バッテリＢ1とバッテリＢ3を直列接続からバイパスすることができる。
【００３８】
上述したように、本実施例では、要求された放電電流値以上の放電が不可能なバッテリを、放電を避けるバッテリとしてバイパスするようにしている。ここで、要求された放電電流値以上の放電が不可能なバッテリとは、他のバッテリと比較して電池容量が小さいバッテリのことであり、当初から（新品の状態において）電池容量が小さい場合や劣化により電池容量が小さくなってしまった場合も含まれる。
【００３９】
即ち、本実施例では、要求された放電電流値に応じて、電池容量の小さいバッテリをバイパスし、電池容量の大きいバッテリのみを使用するようにしている。従って、放電時には、電池容量の大きいバッテリのみから放電することになり、劣化している電池容量の小さいバッテリからも放電している従来例と比較して、電圧、つまり、ＳＯＣが減少しにくくなり、図８のグラフに示すように、実質的に放電可能な容量を増やすことができる。なお、図８において、最低電圧とは、放電を許容する最低限の電圧を意味する。
【００４０】
又、電池容量の大きいバッテリ及び電池容量の小さいバッテリが共に満充電状態であっても、放電時には、電池容量の大きいバッテリのみから放電することになるので、電力を無駄に捨てることなく、電池容量の大きいバッテリと電池容量の小さいバッテリのバランスを取って、互いの電圧差を小さくすることができる。
【産業上の利用可能性】
【００４１】
本発明に係るバッテリ装置の放電システムは、電気自動車やハイブリッド車等の電動車両に搭載された駆動用バッテリ装置に好適なものであるが、電動車両に限らず、バッテリ装置で駆動する機器等にも適用可能である。
【符号の説明】
【００４２】
１０  バッテリ装置
２０  ＥＣＵ（制御手段）
Ｂ1〜Ｂ3  バッテリ
ＢＬ  バイパス線
ＬＤ  負荷
Ｓａ1〜Ｓａ3  スイッチ（第１のスイッチ）
Ｓｂ1〜Ｓｂ3  スイッチ（第２のスイッチ）
【図１】
2013031247.tif 000003
【図２】
2013031247.tif 000004
【図３】
2013031247.tif 000005
【図４】
2013031247.tif 000006
【図５】
2013031247.tif 000007
【図６】
2013031247.tif 000008
【図７】
2013031247.tif 000009
【図８】
2013031247.tif 000010
【図９】
2013031247.tif 000011